(57)【要約】【課題】基板に取り付ける際に発光ダイオードの発光方向を容易に調節することが可能な発光ダイオード用ホルダを提供する。【解決手段】この発光ダイオード用ホルダは、発光ダイオード２の発光方向を基板８の主表面８ａに対して交差する方向に配置する際に基板８の主表面８ａに取り付けられる底面部４と、底面部４に対して垂直方向に延びるとともに、発光ダイオード２の発光方向を基板８の主表面８ａに対して平行な方向に配置する際に基板８の主表面８ａに取り付けられる第１側面部５と、底面部４に対して垂直方向に延びるとともに、第１側面部５と対向するように配置された第２側面部６と、第１側面部５および第２側面部６の互いに対向する面に同じ角度間隔で配置され、発光ダイオード２を支持するための複数の溝部９と、底面部４の基板８に対する取付面に設けられた交差方向用固定脚部１１と、第１側面部５の基板８に対する取付面に設けられた平行方向用固定脚部１２とを含む。【選択図】図１
2005175273.tif 000002
【特許請求の範囲】
【請求項１】
発光ダイオードを収容するための樹脂製の本体部と、前記本体部を基板に固定するためのフック形状を有する樹脂製の二対の固定脚部とを備えた発光ダイオード用ホルダにおいて、
前記発光ダイオードは、前記発光ダイオードの外周面に配置された一対の突起部を含み、
前記本体部は、前記発光ダイオードの発光方向を前記基板の主表面に対して交差する方向に配置する際に前記基板の主表面に取り付けられる底面部と、前記底面部に対して実質的に垂直方向に延びるように形成されるとともに、前記発光ダイオードの発光方向を前記基板の主表面に対して実質的に平行な方向に配置する際に前記基板の主表面に取り付けられる実質的に半円形状を有する第１側面部と、前記底面部に対して実質的に垂直方向に延びるとともに、前記第１側面部と所定の間隔を隔てて対向するように配置された第２側面部と、前記第１側面部および前記第２側面部の互いに対向する面に実質的に同じ角度間隔で配置され、前記発光ダイオードの外周面に設けられた一対の突起部の各々を支持するための複数の溝部とを含み、
前記二対の固定脚部は、前記底面部の前記基板に対する取付面に一体的に設けられた一対の脚部を有する第１固定脚部と、前記第１側面部の前記基板に対する取付面に一体的に設けられた一対の脚部を有する第２固定脚部とを含み、
前記第１固定脚部の一対の脚部間の間隔は、前記第２固定脚部の一対の脚部間の間隔と実質的に等しくなるように設定されている、発光ダイオード用ホルダ。
【請求項２】
発光ダイオードを収容するための本体部と、
前記発光ダイオードの発光方向を基板の主表面に対して第１の方向に配置する際に前記本体部を前記基板に固定するための第１固定脚部と、
前記発光ダイオードの発光方向を前記基板の主表面に対して第２の方向に配置する際に前記本体部を前記基板に固定するための第２固定脚部とを備え、
前記本体部は、所定の角度間隔で配置され、前記発光ダイオードを支持するための複数の溝部を含む、発光ダイオード用ホルダ。
【請求項３】
前記発光ダイオードは、前記発光ダイオードの外周面に配置された一対の突起部を含み、
前記溝部は、前記発光ダイオードの一対の突起部の各々を支持するための一対の溝部を含む、請求項２に記載の発光ダイオード用ホルダ。
【請求項４】
前記複数の溝部の各々は、実質的に同じ角度間隔で配置されている、請求項２または３に記載の発光ダイオード用ホルダ。
【請求項５】
前記第１固定脚部および前記第２固定脚部は、それぞれ、一対の脚部を含み、
前記第１固定脚部の一対の脚部間の間隔は、前記第２固定脚部の一対の脚部間の間隔と実質的に等しくなるように設定されている、請求項２〜４のいずれか１項に記載の発光ダイオード用ホルダ。
【発明の詳細な説明】
【技術分野】
【０００１】
この発明は、発光ダイオード用ホルダに関し、特に、発光ダイオードを収容する本体部を基板に固定するための脚部を備えた発光ダイオード用ホルダに関する。
【背景技術】
【０００２】
従来、発光ダイオードを収容する本体部を基板に固定するための脚部を備えた発光ダイオード用ホルダが知られている（たとえば、特許文献１参照）。
【０００３】
図１１は、上記特許文献１に開示された発光ダイオード用ホルダと同様の構造を有する発光ダイオード用ホルダの基板に対する取付構造の一例を示した側面図である。図１１を参照して、従来の発光ダイオード用ホルダ１０１は、発光ダイオード１０２を収容する本体部１０３を備えている。また、本体部１０３には、フック形状を有する一対の脚部１０４が設けられている。この脚部１０４が基板１０５に設けられた脚部固定用穴部１０５ｂに装着されることにより、本体部１０３は基板１０５に固定されている。基板１０５に固定された状態において、本体部１０３は、基板１０５の主表面１０５ａに対して平行な方向に開口されている。これにより、本体部１０３に収容された発光ダイオード１０２の発光方向Ｂ（図１１参照）は、基板１０５の主表面１０５ａに対して平行な方向に保持されている。また、本体部１０３の発光ダイオード１０２の配線１０２ａに対応する位置には、配線１０２ａを挿入するための配線用穴部１０３ａが形成されている。また、基板１０５には、発光ダイオード１０２の配線１０２ａを接続するための配線用穴部１０５ｃが形成されている。この配線用穴部１０５ｃと本体部１０３の配線用穴部１０３ａとを介して、発光ダイオード１０２の配線１０２ａは基板１０５の下側に突出されるとともに、基板１０５の下面に形成されたプリント配線（図示せず）に半田付けされている。
【０００４】
図１２は、従来の発光ダイオード用ホルダの基板に対する取付構造の他の例を示した側面図である。図１２に示した従来の他の例による発光ダイオード用ホルダ１１１では、図１１に示した従来の一例による発光ダイオード用ホルダ１０１と異なり、基板１０５に固定された状態において、本体部１０３は、基板１０５の主表面１０５ａに対して垂直な方向に開口されている。すなわち、図１２に示した従来の他の例による発光ダイオード用ホルダ１１１では、本体部１０３を基板１０５に対して垂直な方向に取り付けるように脚部１１４が設けられている。これにより、本体部１０３に収容された発光ダイオード１０２の発光方向Ｂ（図１２参照）は、基板１０５の主表面１０５ａに対して垂直な方向に保持されている。
【０００５】
しかしながら、図１１および図１２に示した従来の発光ダイオード用ホルダ１０１および１１１では、発光ダイオード１０２の発光方向Ｂが基板１０５の主表面１０５ａに対して平行な方向または垂直な方向のどちらか一方に固定されるので、発光ダイオード用ホルダを基板に取り付ける際に発光ダイオードの発光方向を変更するのが困難であるという不都合がある。
【０００６】
そこで、従来、基板に取り付ける際に発光ダイオードの発光方向を２方向に変更することが可能な構造を有する発光ダイオード用ホルダが提案されている（たとえば、特許文献２参照）。
【０００７】
上記特許文献２において提案された発光ダイオード用ホルダでは、発光ダイオードの発光方向を基板の主表面に対して垂直方向に配置するための脚部と、所定の斜め方向に配置するための脚部とを個別に設けることによって、発光ダイオード用ホルダを基板に取り付
ける際に発光ダイオードの発光方向を基板の主表面に対して垂直方向または所定の斜め方向の２方向に変更することができるようにしている。
【特許文献１】特開２０００−３０７１５７号公報
【特許文献２】特開２００２−１１１０６２号公報
【発明の開示】
【発明が解決しようとする課題】
【０００８】
しかしながら、上記特許文献２に開示された発光ダイオード用ホルダでは、基板の主表面に対して垂直方向または所定の斜め方向の２つの方向以外に発光ダイオードの発光方向を調節することができないという不都合がある。その結果、発光ダイオード用ホルダを基板に取り付ける際に発光ダイオードの発光方向を調節するのが困難であるという問題点があった。
【０００９】
この発明は、上記のような課題を解決するためになされたものであり、この発明の１つの目的は、基板に取り付ける際に発光ダイオードの発光方向を容易に調節することが可能な発光ダイオード用ホルダを提供することである。
【課題を解決するための手段】
【００１０】
【発明の効果】
【００１１】
上記目的を達成するために、この発明の第１の局面による発光ダイオード用ホルダは、発光ダイオードを収容するための樹脂製の本体部と、本体部を基板に固定するためのフック形状を有する樹脂製の二対の固定脚部とを備えている。また、発光ダイオードは、発光ダイオードの外周面に配置された一対の突起部を含み、本体部は、発光ダイオードの発光方向を基板の主表面に対して交差する方向に配置する際に基板の主表面に取り付けられる底面部と、底面部に対して実質的に垂直方向に延びるように形成されるとともに、発光ダイオードの発光方向を基板の主表面に対して実質的に平行な方向に配置する際に基板の主表面に取り付けられる実質的に半円形状を有する第１側面部と、底面部に対して実質的に垂直方向に延びるとともに、第１側面部と所定の間隔を隔てて対向するように配置された第２側面部と、第１側面部および第２側面部の互いに対向する面に実質的に同じ角度間隔で配置され、発光ダイオードの外周面に設けられた一対の突起部の各々を支持するための複数の溝部とを含み、二対の固定脚部は、底面部の基板に対する取付面に一体的に設けられた一対の脚部を有する第１固定脚部と、第１側面部の基板に対する取付面に一体的に設けられた一対の脚部を有する第２固定脚部とを含み、第１固定脚部の一対の脚部間の間隔は、第２固定脚部の一対の脚部間の間隔と実質的に等しくなるように設定されている。
【００１２】
この第１の局面による発光ダイオード用ホルダでは、上記のように、発光ダイオードの発光方向を基板の主表面に対して交差する方向に配置する際に本体部を基板に固定するための第１固定脚部と、基板の主表面に対して実質的に平行な方向に配置する際に本体部を基板に固定するための第２固定脚部とを設けるとともに、第１側面部および第２側面部に発光ダイオードの突起部を支持するための複数の溝部を実質的に同じ角度間隔で配置することによって、発光ダイオード用ホルダを基板に取り付ける際に、発光ダイオードの発光方向を基板の主表面に対して交差する方向または実質的に平行な方向の２方向に変更することができるとともに、所定の角度間隔で任意の角度に調節することができるので、発光ダイオード用ホルダを基板に取り付ける際に発光ダイオードの発光方向を容易に調節することができる。
【００１３】
また、第１の局面では、第１側面部および第２側面部に発光ダイオードの一対の突起部の各々を支持するための一対の溝部を設けることによって、任意の角度位置の一対の溝部によって発光ダイオードの一対の突起部を支持することができるので、発光ダイオードを発光ダイオード用ホルダに任意の角度位置で容易に保持することができる。また、第１固定脚部の一対の脚部間の間隔を第２固定脚部の一対の脚部間の間隔と実質的に等しくなる
ように設定することによって、第１固定脚部および第２固定脚部の各々を装着するための穴部を基板に個別に設ける必要がない。これにより、基板上において穴部の占める面積が増大するのを抑制することができるとともに、穴部を形成するための工程数が増加するのを抑制することができる。
【００１４】
この発明の第２の局面による発光ダイオード用ホルダは、発光ダイオードを収容するための本体部と、発光ダイオードの発光方向を基板の主表面に対して第１の方向に配置する際に本体部を基板に固定するための第１固定脚部と、発光ダイオードの発光方向を基板の主表面に対して第２の方向に配置する際に本体部を基板に固定するための第２固定脚部とを備え、本体部は、所定の角度間隔で配置され、発光ダイオードを支持するための複数の溝部を含む。
【００１５】
この第２の局面による発光ダイオード用ホルダでは、上記のように、発光ダイオードの発光方向を基板の主表面に対して第１の方向に配置する際に本体部を基板に固定するための第１固定脚部と、基板の主表面に対して第２の方向に配置する際に本体部を基板に固定するための第２固定脚部とを設けるとともに、本体部に発光ダイオードを支持するための複数の溝部を所定の角度間隔で配置することによって、発光ダイオード用ホルダを基板に取り付ける際に発光ダイオードの発光方向を基板の主表面に対して第１の方向または第２の方向の２方向に変更することができるとともに、所定の角度間隔で任意の角度に調節することができるので、発光ダイオード用ホルダを基板に取り付ける際に発光ダイオードの発光方向を容易に調節することができる。
【００１６】
上記第２の局面による発光ダイオード用ホルダにおいて、好ましくは、発光ダイオードは、発光ダイオードの外周面に配置された一対の突起部を含み、溝部は、発光ダイオードの一対の突起部の各々を支持するための一対の溝部を含む。このように構成すれば、任意の角度位置の一対の溝部によって発光ダイオードの一対の突起部を支持することができるので、発光ダイオードを発光ダイオード用ホルダに任意の角度位置で容易に保持することができる。
【００１７】
上記第２の局面による発光ダイオード用ホルダにおいて、好ましくは、複数の溝部の各々は、実質的に同じ角度間隔で配置されている。このように構成すれば、発光ダイオードを発光ダイオード用ホルダに装着する方向を実質的に同じ角度ずつ変更することができるので、容易に発光ダイオードの発光方向を所定の角度間隔で任意の角度に調節することができる。これにより、発光ダイオードの発光方向をより容易に調節することができる。
【００１８】
上記第２の局面による発光ダイオード用ホルダにおいて、好ましくは、第１固定脚部および第２固定脚部は、それぞれ、一対の脚部を含み、第１固定脚部の一対の脚部間の間隔は、第２固定脚部の一対の脚部間の間隔と実質的に等しくなるように設定されている。このように構成すれば、第１固定脚部および第２固定脚部の各々を装着するための穴部を基板に個別に設ける必要がない。これにより、基板上において穴部の占める面積が増大するのを抑制することができるとともに、穴部を形成するための工程数が増加するのを抑制することができる。
【発明を実施するための最良の形態】
【００１９】
以下、本発明の実施形態を図面に基づいて説明する。
【００２０】
図１は、本発明の一実施形態による発光ダイオード用ホルダの全体構造を示した斜視図である。図２は、図１に示した一実施形態による発光ダイオード用ホルダに装着する発光ダイオードの構造を示した斜視図である。図３および図４は、それぞれ、図１に示した一実施形態による発光ダイオード用ホルダの５０−５０線に沿った断面図、および、矢印Ａ
方向から見た側面図である。図５は、図１に示した一実施形態による発光ダイオード用ホルダの底面図であり、図６は、図１に示した一実施形態による発光ダイオード用ホルダを取り付ける基板の構造を示した斜視図である。まず、図１〜図６を参照して、本実施形態による発光ダイオード用ホルダの構造について説明する。
【００２１】
本実施形態による発光ダイオード用ホルダ１は、図１に示すように、発光ダイオード２（図２参照）を収容するための樹脂製の本体部３を備えている。この本体部３は、底面部４、第１側面部５および第２側面部６を含んでいる。また、底面部４は、図３および図４に示すように、一対の交差方向用配線穴部７を有している。この交差方向用配線穴部７は、発光ダイオード２の発光方向Ｂ（図２参照）を基板８（図６参照）の主表面８ａに対して交差する方向に配置する際に発光ダイオード２の一対の配線２ａを挿入するために設けられている。また、第１側面部５および第２側面部６は、図１に示すように、底面部４の表面に所定の間隔を隔てて一体的に設けられるとともに、底面部４の表面に対して垂直方向に延びるように形成されている。また、第１側面部５および第２側面部６は、図３および図５に示すように、共に、側面から見て半円形状を有している。
【００２２】
ここで、本実施形態では、第１側面部５および第２側面部６の互いに対向する面には、図１および図３に示すように、同じ角度間隔α（α：約１５°〜約３０°）で配置された複数の溝部９が形成されている。この溝部９は、発光ダイオード２の外周面に一体的に設けられた一対の樹脂製の突起部２ｂ（図２参照）の各々を支持するために設けられている。また、複数の溝部９の各々は、第１側面部５および第２側面部６の周縁部５ａおよび６ａに向かって延びるように形成されている。また、溝部９の周縁部５ａおよび６ａ側には開口部９ａが形成されるとともに、開口部９ａと反対側には、発光ダイオード２の突起部２ｂの下端面２ｃ（図２参照）に当接する底部９ｂ（図３参照）が形成されている。
【００２３】
また、第１側面部５は、図１および図５に示すように、一対の平行方向用配線穴部１０を有している。この平行方向用配線穴部１０は、発光ダイオード２の発光方向Ｂ（図２参照）を基板８（図６参照）の主表面８ａに対して平行な方向に配置する際に発光ダイオード２の配線２ａを挿入するために設けられている。また、基板８には、平行方向用配線穴部１０または交差方向用配線穴部７を介して本体部３の外部へ延ばした発光ダイオード２の一対の配線２ａの各々を接続するための一対の配線用穴部８ｂが設けられている。
【００２４】
また、本実施形態では、底面部４の第１側面部５および第２側面部６が設けられた面と反対側の面には、図１に示すように、樹脂製の交差方向用固定脚部１１が一体的に設けられている。なお、この交差方向用固定脚部１１は、本発明の「第１固定脚部」の一例である。また、この交差方向用固定脚部１１は、発光ダイオード２の発光方向Ｂ（図２参照）を基板８（図６参照）の主表面８ａに対して交差する方向に配置する際に本体部３を基板８に固定するために設けられている。なお、基板８の主表面８ａに対して交差する方向は、本発明の「第１の方向」の一例である。また、交差方向用固定脚部１１は、フック形状を有する一対の脚部１１ａによって構成されている。また、第１側面部５の溝部９が形成された面と反対側の面には、図１に示すように、樹脂製の平行方向用固定脚部１２が一体的に設けられている。なお、この平行方向用固定脚部１２は、本発明の「第２固定脚部」の一例である。また、この平行方向用固定脚部１２は、発光ダイオード２の発光方向Ｂ（図２参照）を基板８（図６参照）の主表面８ａに対して平行な方向に配置する際に本体部３を基板８に固定するために設けられている。なお、基板８の主表面８ａに対して平行な方向は、本発明の「第２の方向」の一例である。また、平行方向用固定脚部１２は、フック形状を有する一対の脚部１２ａによって構成されている。
【００２５】
また、本実施形態では、交差方向用固定脚部１１の一対の脚部１１ａ間の間隔は、平行方向用固定脚部１２の一対の脚部１２ａ間の間隔と等しくなるように設定されている。ま
た、基板８には、交差方向用固定脚部１１の一対の脚部１１ａまたは平行方向用固定脚部１２の一対の脚部１２ａを装着するための一対の脚部固定用穴部８ｃ（図６参照）が設けられている。また、底面部４における交差方向用固定脚部１１に対する交差方向用配線穴部７の位置（図４参照）は、第１側面部５における平行方向用固定脚部１２に対する平行方向用配線穴部１０の位置と同じになるように構成されている。そして、交差方向用固定脚部１１に対する交差方向用配線穴部７の位置と、平行方向用固定脚部１２に対する平行方向用配線穴部１０の位置とに対応するように、基板８の脚部固定用穴部８ｃに対する配線用穴部８ｂの位置が設定されている。
【００２６】
図７および図９は、図１に示した一実施形態による発光ダイオード用ホルダの基板に対する取付構造を示した斜視図である。図８は、図７に示した一実施形態による発光ダイオード用ホルダの６０−６０線に沿った断面図であり、図１０は、図９に示した一実施形態による発光ダイオード用ホルダの７０−７０線に沿った断面図である。次に、図７〜図１０を参照して、本実施形態による発光ダイオード用ホルダおよび発光ダイオードを基板に取り付ける際の動作について説明する。
【００２７】
発光ダイオード２の発光方向Ｂを図７に示すように基板８の主表面８ａに対して交差する方向に配置する際には、図８に示すように、発光ダイオード２の配線２ａを底面部４の交差方向用配線穴部７に挿入する。そして、複数の溝部９から所定の角度位置の溝部９を選択した後、その選択した溝部９の開口部９ａから発光ダイオード２の突起部２ｂを挿入する。この際、突起部２ｂの下端面２ｃが溝部９の底部９ｂに当接するまで挿入する。次に、図８に示すように、底面部４の交差方向用固定脚部１１ａが設けられた面が基板８の主表面８ａに接触するように発光ダイオード用ホルダ１を設置する。この際、交差方向用配線穴部７を介して下方へ延ばした発光ダイオード２の配線２ａを基板８の配線用穴部８ｂに挿入しながら、交差方向用固定脚部１１の一対の脚部１１ａを脚部固定用穴部８ｃに装着する。なお、基板８の主表面８ａに対する発光ダイオード２の発光方向Ｂの角度を変更する場合には、一旦、本体部３から発光ダイオード２を取り出した後、再度、別の角度位置の溝部９に発光ダイオード２の突起部２ｂを挿入する。最後に、基板８の配線用穴部８ｂを介して下側に突出した発光ダイオード２の配線２ａを、基板８の下面に形成されたプリント配線（図示せず）に半田付けする。上記のようにして、発光ダイオード２の発光方向Ｂを基板８の主表面８ａに対して任意の角度で交差する方向に配置した状態で、発光ダイオード用ホルダ１および発光ダイオード２が基板８に取り付けられる。
【００２８】
一方、発光ダイオード２の発光方向Ｂを図９に示すように基板８の主表面８ａに対して平行な方向に配置する際には、図１０に示すように、発光ダイオード２の配線２ａを第１側面部５の平行方向用配線穴部１０に挿入する。そして、複数の溝部９から所定の溝部９を選択した後、選択した溝部９の開口部９ａから発光ダイオード２の突起部２ｂを挿入する。この際、突起部２ｂの下端面２ｃが溝部９の底部９ｂに当接するまで挿入する。次に、図１０に示すように、第１側面部５の平行方向用固定脚部１２が設けられた面が基板８の主表面８ａに接触するように発光ダイオード用ホルダ１を設置する。この際、平行方向用配線穴部１０を介して下方へ延ばした発光ダイオード２の配線２ａを基板８の配線用穴部８ｂに挿入しながら、平行方向用固定脚部１２の一対の脚部１２ａを脚部固定用穴部８ｃに装着する。発光ダイオード２の発光方向Ｂを基板８の主表面８ａに対して平行な方向に任意の角度で配置する際の発光ダイオード用ホルダ１および発光ダイオード２のこれ以降の取付動作は、上記した発光方向Ｂを基板８の主表面８ａに対して任意の角度で交差する方向に配置する際の取付動作と同様である。
【００２９】
本実施形態では、上記のように、発光ダイオード２の発光方向Ｂを基板８の主表面８ａに対して交差する方向に配置する際に本体部３を基板８に固定するための交差方向用固定脚部１１と、基板の主表面に対して平行な方向に配置する際に本体部３を基板８に固定す
るための平行方向用固定脚部１２とを設けるとともに、第１側面部５および第２側面部６に発光ダイオード２の突起部２ｂを支持するための複数の溝部９を同じ角度間隔αで配置することによって、発光ダイオード用ホルダ１を基板８に取り付ける際に、発光ダイオード２の発光方向Ｂを基板８の主表面８ａに対して交差する方向または平行な方向の２方向に変更することができるとともに、所定の角度間隔αで任意の角度に調節することができるので、発光ダイオード用ホルダ１を基板８に取り付ける際に発光ダイオード２の発光方向Ｂを容易に調節することができる。
【００３０】
また、本実施形態では、第１側面部５および第２側面部６の互いに対向する面に発光ダイオード２の一対の突起部２ｂの各々を支持するための一対の溝部９を設けることによって、任意の角度位置の一対の溝部９によって発光ダイオード２の一対の突起部２ｂを支持することができるので、発光ダイオード２を発光ダイオード用ホルダ１に任意の角度位置で容易に保持することができる。
【００３１】
また、本実施形態では、交差方向用固定脚部１１の一対の脚部１１ａ間の間隔を平行方向用固定脚部１２の一対の脚部１２ａ間の間隔と等しくなるように設定することによって、交差方向用固定脚部１１および平行方向用固定脚部１２の各々を装着するための脚部固定用穴部を基板８に個別に設ける必要がない。これにより、基板８上において脚部固定用穴部の占める面積が増大するのを抑制することができるとともに、脚部固定用穴部を形成するための工程数が増加するのを抑制することができる。
【００３２】
また、本実施形態では、底面部４における交差方向用固定脚部１１に対する交差方向用配線穴部７の位置を、第１側面部５における平行方向用固定脚部１２に対する平行方向用配線穴部１０の位置と同じになるように構成することによって、基板８に交差方向用配線穴部７を介して発光ダイオード２の配線２ａをプリント配線に接続するための配線用穴部と、平行方向用配線穴部１０を介して発光ダイオード２の配線２ａをプリント配線に接続するための配線用穴部とを個別に形成する必要がない。これにより、基板８上において配線用穴部の占める面積が増大するのを抑制することができるとともに、配線用穴部を形成するための工程数が増加するのを抑制することができる。
【００３３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３４】
たとえば、上記実施形態では、発光ダイオードの突起部を支持するための複数の溝部の各々を同じ角度間隔で配置するようにしたが、本発明はこれに限らず、複数の溝部の各々を異なる角度間隔で配置するようにしてもよい。
【００３５】
また、上記実施形態では、交差方向用固定脚部の一対の脚部間の間隔を平行方向用固定脚部の一対の脚部間の間隔と同じになるように設定したが、本発明はこれに限らず、交差方向用固定脚部の一対の脚部間の間隔を平行方向用固定脚部の一対の脚部間の間隔と異なるように設定してもよい。
【００３６】
また、上記実施形態では、交差方向用固定脚部に対する交差方向用配線穴部の位置を、平行方向用固定脚部に対する平行方向用配線穴部の位置と同じになるように構成したが、本発明はこれに限らず、交差方向用固定脚部に対する交差方向用配線穴部の位置を、平行方向用固定脚部に対する平行方向用配線穴部の位置と異なるように構成してもよい。
【００３７】
また、上記実施形態では、発光ダイオード用ホルダに単一の発光ダイオードを装着する
場合を例にとって説明したが、本発明はこれに限らず、発光ダイオード用ホルダに複数の発光ダイオードを装着する場合にも本発明を適用することができる。
【図面の簡単な説明】
【００３８】
【図１】本発明の一実施形態による発光ダイオード用ホルダの全体構造を示した斜視図である。
【図２】図１に示した一実施形態による発光ダイオード用ホルダに装着する発光ダイオードの構造を示した斜視図である。
【図３】図１に示した一実施形態による発光ダイオード用ホルダの５０−５０線に沿った断面図である。
【図４】図１に示した一実施形態による発光ダイオード用ホルダの矢印Ａ方向から見た側面図である。
【図５】図１に示した一実施形態による発光ダイオード用ホルダの底面図である。
【図６】図１に示した一実施形態による発光ダイオード用ホルダを取り付ける基板の構造を示した斜視図である。
【図７】図１に示した一実施形態による発光ダイオード用ホルダの基板に対する取付構造を示した斜視図である。
【図８】図７に示した一実施形態による発光ダイオード用ホルダの６０−６０線に沿った断面図である。
【図９】図１に示した一実施形態による発光ダイオード用ホルダの基板に対する取付構造を示した斜視図である。
【図１０】図９に示した一実施形態による発光ダイオード用ホルダの７０−７０線に沿った断面図である。
【図１１】従来の発光ダイオード用ホルダの基板に対する取付構造を示した側面図である。
【図１２】従来の発光ダイオード用ホルダの基板に対する取付構造を示した側面図である。
【符号の説明】
【００３９】
１  発光ダイオード用ホルダ
２  発光ダイオード
２ａ  配線
２ｂ  突起部
３  本体部
４  底面部
５  第１側面部
６  第２側面部
７  交差方向用配線穴部
８  基板
８ａ  主表面
９  溝部
１０  平行方向用配線穴部
１１  交差方向用固定脚部（第１固定脚部）
１１ａ  脚部
１２  平行方向用固定脚部（第２固定脚部）
１２ａ  脚部
【図１】
2005175273.tif 000003
【図２】
2005175273.tif 000004
【図３】
2005175273.tif 000005
【図４】
2005175273.tif 000006
【図５】
2005175273.tif 000007
【図６】
2005175273.tif 000008
【図７】
2005175273.tif 000009
【図８】
2005175273.tif 000010
【図９】
2005175273.tif 000011
【図１０】
2005175273.tif 000012
【図１１】
2005175273.tif 000013
【図１２】
2005175273.tif 000014